【手続補正書】
【提出日】平成27年3月13日(2015.3.13)
【手続補正１】
【補正対象書類名】特許請求の範囲
【補正対象項目名】全文
【補正方法】変更
【補正の内容】
【特許請求の範囲】
【請求項１】
偶数フィールドのインターレース画像データと、奇数フィールドのインターレース画像データとが第１の周期で交互に入力され、前記第１の周期と異なる第２の周期で、入力されたインターレース画像データを補間によりプログレッシブ画像データに変換するＩＰ変換処理を行う画像処理装置であって、
インターレース画像データが入力されるタイミングと、前記インターレース画像データに対する前記ＩＰ変換処理を行うタイミングとの差が所定値以下となるように、前記ＩＰ変換処理の処理対象とするインターレース画像データを決定する決定手段と、
現在の処理対象のインターレース画像データである現データと、前記現データの１つ前に処理対象とされたインターレース画像データである前データ、及び、前記現データの１つ後に処理対象とされるインターレース画像データである後データのうちの一方のデータとを用いてフィールド間補間処理を行い、前記現データをプログレッシブ画像データに変換する変換手段と、
を有し、
前記変換手段は、前記現データと、前記前データ及び前記後データのうちの前記一方のデータとの両方が偶数フィールドまたは奇数フィールドであった場合に、前記現データと、前記前データ及び前記後データのうちの他方のデータとを用いてフィールド間補間処理を行う
ことを特徴とする画像処理装置。
【請求項２】
フィールド間の画像の動きを検出する検出手段を更に有し、
前記変換手段は、現データを用いたフィールド内補間処理を更に行い、画像の動きが大きいときに、小さいときよりもフィールド内補間処理の処理結果の重みが大きくなるように、フィールド間補間処理の処理結果とフィールド内補間処理の処理結果とを合成して、前記現データをプログレッシブ画像データに変換する
ことを特徴とする請求項１に記載の画像処理装置。
【請求項３】
前記フィールド内補間処理は、前記現データの画素を用いて、前記現データの補間画素を生成する処理である
ことを特徴とする請求項２に記載の画像処理装置。
【請求項４】
前記変換手段から出力されたプログレッシブ画像データに拡大処理または縮小処理を施すスケーリング手段を更に有し、
前記変換手段と前記スケーリング手段の間には、前記変換手段から出力されたプログレッシブ画像データを一時的に記憶する記憶手段が設けられていない
ことを特徴とする請求項１〜３のいずれか１項に記載の画像処理装置。
【請求項５】
前記変換手段は、１ライン分のプログレッシブ画像データを出力する処理を繰り返し行い、
前記スケーリング手段は、拡大処理または縮小処理が施された後の１ライン分の画像データを、前記変換手段から出力された１ライン分のプログレッシブ画像データを用いて生成する処理、を繰り返し行う
ことを特徴とする請求項４に記載の画像処理装置。
【請求項６】
前記プログレッシブ画像データの垂直同期信号を生成する生成手段をさらに有し、
前記決定手段は、前記入力されたインターレース画像データの垂直同期信号と、前記生成手段で生成された垂直同期信号と、に基づいて、前記ＩＰ変換処理の処理対象とするインターレース画像データを決定する
ことを特徴とする請求項１〜５のいずれか１項に記載の画像処理装置。
【請求項７】
前記現データと、前記前データ及び前記後データのうちの前記一方のデータとの両方が偶数フィールドまたは奇数フィールドであるか否かを判定する判定手段をさらに有し、
前記変換手段は、前記判定手段の判定結果に基づいて、前記フィールド間補間処理を行う
ことを特徴とする請求項１〜６のいずれか１項に記載の画像処理装置。
【請求項８】
前記フィールド間補間処理は、前記現データとは異なるフィールドの画素を用いて、前記現データの補間画素を生成する処理である
ことを特徴とする請求項１〜７のいずれか１項に記載の画像処理装置。
【請求項９】
偶数フィールドのインターレース画像データと、奇数フィールドのインターレース画像データとが第１の周期で交互に入力され、前記第１の周期と異なる第２の周期で、入力されたインターレース画像データを補間によりプログレッシブ画像データに変換するＩＰ変換処理を行う画像処理装置の制御方法であって、
インターレース画像データが入力されるタイミングと、前記インターレース画像データに対する前記ＩＰ変換処理を行うタイミングとの差が所定値以下となるように、前記ＩＰ変換処理の処理対象とするインターレース画像データを決定する決定ステップと、
現在の処理対象のインターレース画像データである現データと、前記現データの１つ前に処理対象とされたインターレース画像データである前データ、及び、前記現データの１つ後に処理対象とされるインターレース画像データである後データのうちの一方のデータとを用いてフィールド間補間処理を行い、前記現データをプログレッシブ画像データに変換する変換ステップと、
を有し、
前記変換ステップでは、前記現データと、前記前データ及び前記後データのうちの前記一方のデータとの両方が偶数フィールドまたは奇数フィールドであった場合に、前記現データと、前記前データ及び前記後データのうちの他方のデータとを用いてフィールド間補間処理が行われる
ことを特徴とする画像処理装置の制御方法。
【請求項１０】
フィールド間の画像の動きを検出する検出ステップを更に有し、
前記変換ステップでは、現データを用いたフィールド内補間処理が更に行われ、画像の
動きが大きいときに、小さいときよりもフィールド内補間処理の処理結果の重みが大きくなるように、フィールド間補間処理の処理結果とフィールド内補間処理の処理結果とが合成されて、前記現データがプログレッシブ画像データに変換される
ことを特徴とする請求項９に記載の画像処理装置の制御方法。
【請求項１１】
前記フィールド内補間処理は、前記現データの画素を用いて、前記現データの補間画素を生成する処理である
ことを特徴とする請求項１０に記載の画像処理装置の制御方法。
【請求項１２】
前記変換ステップで得られたプログレッシブ画像データに拡大処理または縮小処理を施すスケーリングステップを更に有する
ことを特徴とする請求項９〜１１のいずれか１項に記載の画像処理装置の制御方法。
【請求項１３】
前記変換ステップでは、１ライン分のプログレッシブ画像データを出力する処理が繰り返し行われ、
前記スケーリングステップでは、拡大処理または縮小処理が施された後の１ライン分の画像データを、前記変換ステップで得られた１ライン分のプログレッシブ画像データを用いて生成する処理、が繰り返し行われる
ことを特徴とする請求項１２に記載の画像処理装置の制御方法。
【請求項１４】
前記プログレッシブ画像データの垂直同期信号を生成する生成ステップをさらに有し、
前記決定ステップでは、前記入力されたインターレース画像データの垂直同期信号と、前記生成ステップで生成された垂直同期信号と、に基づいて、前記ＩＰ変換処理の処理対象とするインターレース画像データが決定される
ことを特徴とする請求項９〜１３のいずれか１項に記載の画像処理装置の制御方法。
【請求項１５】
前記現データと、前記前データ及び前記後データのうちの前記一方のデータとの両方が偶数フィールドまたは奇数フィールドであるか否かを判定する判定ステップをさらに有し、
前記変換ステップでは、前記判定ステップでの判定結果に基づいて、前記フィールド間補間処理が行われる
ことを特徴とする請求項９〜１４のいずれか１項に記載の画像処理装置の制御方法。
【請求項１６】
前記フィールド間補間処理は、前記現データとは異なるフィールドの画素を用いて、前記現データの補間画素を生成する処理である
ことを特徴とする請求項９〜１５のいずれか１項に記載の画像処理装置の制御方法。